【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
塗布ローラを回転させることにより塗布面に供給された液体を記録媒体に塗布する塗布部材と、前記塗布面に当接して前記液体を保持する液体保持空間を形成する液体保持部材とを具える液体塗布装置であって、
前記液体保持空間に保持される液体と前記塗布部材とが単位時間に接触する液体の量は、前記記録媒体に前記液体を塗布する塗布動作時より塗布動作前の方が多いことを特徴とする液体塗布装置。
【請求項２】
前記液体保持空間に保持される液体と前記塗布部材とが単位時間に接触する液体の量は、前記液体保持空間に保持される液体の体積が異なることにより、前記塗布動作時より前記塗布動作前の方が多いことを特徴とする請求項１に記載の液体塗布装置。
【請求項３】
前記液体保持空間に保持される液体と前記塗布部材とが単位時間に接触する液体の量は、前記塗布動作時と前記前記塗布動作前の前記塗布部材の回転速度が異なることにより、前記塗布動作時より前記塗布動作前の方が多いことを特徴とする請求項１に記載の液体塗布装置。
【請求項４】
前記液体保持空間に保持される液体と前記塗布部材とが単位時間に接触する液体の量は、前記塗布動作時と前記前記塗布動作前の前記塗布部材の回転数が異なることにより、前記塗布動作時より前記塗布動作前の方が多いことを特徴とする請求項１に記載の液体塗布装置。
【請求項５】
前記液体保持空間に保持される液体と前記塗布部材とが単位時間に接触する液体の量は、前記塗布動作前の前記塗布部材の回転時に、前記塗布部材の回転が停止する動作を含むことにより、前記塗布動作時より前記塗布動作前の方が多いことを特徴とする請求項１から請求項４のいずれかに記載の液体塗布装置。
【請求項６】
前記液体保持空間に保持される液体と前記塗布部材とが単位時間に接触する液体の量は、前記塗布動作前の前記塗布部材の回転時に、前記塗布部材の回転が前記塗布動作時の回転と逆に回転する動作を含むことにより、前記塗布動作時より前記塗布動作前の方が多いことを特徴とする請求項１から請求項５のいずれかに記載の液体塗布装置。
【請求項７】
前記液体保持空間に保持される液体と前記塗布部材とが単位時間に接触する液体の量は、前記塗布動作前の前記塗布部材の回転時に、前記液体保持空間に保持された液体に流れを発生させる動作を含むことにより、前記塗布動作時より前記塗布動作前の方が多いことを特徴とする請求項１から請求項６のいずれかに記載の液体塗布装置。
【請求項８】
前記液体塗布装置は、さらに塗布動作後に前記塗布部材を回転させ、前記塗布動作後の前記塗布部材の回転は、前記塗布動作時の前記塗布部材の回転よりも回転速度が低速であることを特徴とする請求項１から請求項７のいずれかに記載の液体塗布装置。
【請求項９】
前記塗布動作前の液体保持空間に保持される液体と前記塗布部材とが接触する液体の量は、前回の塗布動作からの経過時間に基づき変更することを特徴とする請求項１から請求項８のいずれかに記載の液体塗布装置。
【請求項１０】
記録媒体を所定の搬送経路に沿って搬送する搬送手段と、記録媒体に記録を行なう記録手段と、前記記録媒体に液体を塗布する液体塗布手段とを備えた記録装置であって、
前記液体塗布手段は、塗布ローラを回転させることにより塗布面に供給された液体を記録媒体に塗布する塗布部材と、前記塗布面に当接して前記液体を保持する液体保持空間を形成する液体保持部材とを具える液体塗布手段であって、
前記液体保持空間に保持される液体と前記塗布部材とが単位時間に接触する液体の量は、前記記録媒体に前記液体を塗布する塗布動作時より塗布動作前の方が多いことを特徴とする記録装置。
【請求項１１】
前記搬送経路において、前記液体塗布手段は、前記記録手段よりも上流側に配置されたことを特徴とする請求項１０に記載の記録装置。
【手続補正２】
【補正対象書類名】明細書
【補正対象項目名】０００３
【補正方法】変更
【補正の内容】
【０００３】
このような問題を解消する構成として、例えば特許文献１には、ダイコータ方式において、回転するロッドバーを用いる方法が開示されている。このロッドバーを用いる方法では、ロッドバーに対して吐出用スリットから塗布液を吐出し、ロッドバー上に塗膜を形成する。そして、形成された塗膜はロッドバーの回転に伴い塗布媒体に接触して転写される。このような方法では、ロッドバーに形成された塗膜を塗布媒体に転写、塗布しないときは、塗布液はロッドバーの回転によりヘッド内に戻り回収用スリットを介して回収される。すなわち、非塗布時でもロッドバーは回転し続け、塗布液はロッドバーに塗膜を形成した状態にある。これにより、塗布媒体が断続的に供給されそれらに断続的に塗布を行う場合でも、均一な塗膜を得ることを可能としている。
【手続補正３】
【補正対象書類名】明細書
【補正対象項目名】０００６
【補正方法】変更
【補正の内容】
【０００６】
これに対し、インク等の液体をローラに付与・供給する部分をシールする構成が知られている。例えば、特許文献４に開示された装置は、ドクターブレードを有するインクチャンバーをローラの周面に当接させることにより、ローラとの間で液室（インク溜まり）を形成している。このような構成により、液体の蒸発および漏れを抑制することができる。
【手続補正４】
【補正対象書類名】明細書
【補正対象項目名】００２０
【補正方法】変更
【補正の内容】
【００２０】
また、液体保持部材２００１は、バネ部材２００６の付勢力によって塗布ローラ１００１の周面に対して付勢されて当接するとき、塗布ローラ１００１による液体塗布領域全体に亘って延在する長尺な液体保持空間Ｓを形成するようになっている。この液体保持空間Ｓ内には、後述の液体供給流路３０００から液体保持部材２００１を介して塗布液が供給される。本実施形態の液体保持部材２００１は、塗布ローラ１００１が停止状態であるとき、液体保持空間Ｓから外方へ不用意に塗布液が漏出することを防止ないしは軽減することができるものである。また、同時に液体の蒸発を抑制することができるものである。
【手続補正５】
【補正対象書類名】明細書
【補正対象項目名】００２３
【補正方法】変更
【補正の内容】
【００２３】
図３に示すように、液体保持部材２００１は、空間形成基材２００２と、空間形成基材２００２の一方の面に設けられた環状の当接部材２００９を備えている。空間形成基材２００２には、その中央部分における長手方向に沿って、凹部２００３が形成される。そして、当接部材２００９は、その直線部分がこの凹部２００３の上縁部に沿って固着され、また、円周部分が上縁部から底部を経て反対側の上縁部に至るように固着される。このような構成により、液体保持部材２００１の当接部材２００９が塗布ローラ１００１に当接したとき、塗布ローラの周面形状に沿った当接が可能となり、均一な圧力の当接を実現することができる。
【手続補正６】
【補正対象書類名】明細書
【補正対象項目名】００３２
【補正方法】変更
【補正の内容】
【００３２】
第１流路を構成するチューブ３１０１およびチューブ３１０２には三方の口を連結する第１Ｔ字流路３３０１が設けられている。第１Ｔ字流路３３０１はチューブ３１０１によりバッファタンク３００２と連結されている。さらに三方の口を連結する合流点よりチューブ３１０１と連結される連結口側に連通、遮断の切換えを可能とする第１遮断弁３２０１が設けられている。また、第１Ｔ字流路３３０１はもう一方の連結口をチューブ３１０９と連結している。チューブ３１０９はバッファタンク３００２に連結し、バッファタンク３００２および大気連通口３００４を介して大気と連通する。
【手続補正７】
【補正対象書類名】明細書
【補正対象項目名】００３３
【補正方法】変更
【補正の内容】
【００３３】
また、第一Ｔ字流路３３０１のチューブ３１０９側には、連通、遮断の切換えを可能とする第２遮断弁３２０２が設けられている。さらに、第１Ｔ字流路３３０１は残りの連結口をチューブ３１０２により液体供給口２００４と連結している。この第１遮断弁３２０１と第２遮断弁３２０２および第１Ｔ字流路３３０１の構成は、２つの遮断弁の連通、遮断の組み合わせによりチューブ３１０２の連結先を大気とバッファタンク３００２に貯蔵する塗布液の内から選択することを可能としている。
【手続補正８】
【補正対象書類名】明細書
【補正対象項目名】００３７
【補正方法】変更
【補正の内容】
【００３７】
第３流路に含まれるチューブ３１０６は、注射針状の第１連結口３００５および連結流路を構成する台座３００３を介して交換タンク３００１と連結している。すなわち、注射針状の第１連結口３００５が、交換タンク３００１の底部に設けられたゴム３５０１を突き抜けることによって、チューブ３１０６は交換タンク３００１と連結される。チューブ３１０６のもう一方の口は前記第２Ｔ字流路３３０２と連結している。本実施形態では、チューブ３１０６が、交換タンク３００１からバッファタンク３００２へと塗布液を供給するための補給流路となる。
【手続補正９】
【補正対象書類名】明細書
【補正対象項目名】００３８
【補正方法】変更
【補正の内容】
【００３８】
また、第３流路および第４流路は、水蒸気バリア性が高く、柔軟性も備えた材料で構成されている。例えば、高密度ポリエチレンにより構成されている。これにより、流路内の塗布液の蒸発を最低限に抑えるとともに、本循環部を搭載する記録装置の組み立て性を向上することができる。
【手続補正１０】
【補正対象書類名】明細書
【補正対象項目名】００３９
【補正方法】変更
【補正の内容】
【００３９】
前記第２Ｔ字流路３３０２は、三方の口を連結する合流点よりチューブ３１０３ａと連結される連結口側に、チューブ３１０３ａと第２Ｔ字流路３３０２との連通、遮断の切換えを可能とする第３遮断弁３２０３を備えている。また、第２Ｔ字流路３３０２は、合流点よりチューブ３１０６と連結される連結口側に、チューブ３１０６と第２Ｔ字流路３３０２との連通、遮断の切換えを可能とする第４遮断弁３２０４を備えている。この第３遮断弁３２０３と第４遮断弁３２０４および第２Ｔ字流路３３０２の構成は、２つの遮断弁の連通、遮断の組み合わせによりチューブ３１０４との連結先を交換タンク３００１と空間形成基材２００２の内から選択することを可能としている。
【手続補正１１】
【補正対象書類名】明細書
【補正対象項目名】００５３
【補正方法】変更
【補正の内容】
【００５３】
なお各遮断弁の開閉組み合わせを、以下の表１に示す「放置」、「補給」、「循環」、「回収」の４つの組み合わせとする。制御部４０００は、装置の状態に適切な組み合わせを選択し、選択された組み合わせに対応する動作を行うように各遮断弁へと制御信号を送信する。
【手続補正１２】
【補正対象書類名】明細書
【補正対象項目名】００５７
【補正方法】変更
【補正の内容】
【００５７】
（３−１）充填工程
図１３は、図１２のステップＳ１における保持空間Ｓに対する塗布液の充填工程の動作の詳細を示すフローチャートである。この充填工程では、塗布動作が開始されると（ステップＳ１０）、各遮断弁を切り替えることにより、「循環」の開閉組み合わせにする（ステップＳ１１）。この開閉組み合わせにすると、液体保持空間Ｓに対して第１流路および第２流路によってバッファタンク３００２が連通する。
【手続補正１３】
【補正対象書類名】明細書
【補正対象項目名】００５８
【補正方法】変更
【補正の内容】
【００５８】
その後、液体検知センサＹ００１で液の有無を監視しながら、ポンプ３００７を通常の速度で駆動する（ステップＳ１２）。ポンプ３００７の駆動により、第１流路、液体保持空間Ｓ、チューブ３１０３、液体検知センサＹ００１の順に塗布液が供給される。そして、液体検知センサＹ００１の流路Ｙ００１ａが塗布液で満たされると、液体検知センサＹ００１により液体が有る状態を検知されたか否かを判断する（ステップＳ１３）。液体検知センサＹ００１により液体が検知されると、ポンプ３００７の駆動が停止される。この場合には、塗布ローラ１００１に対し塗布液が供給された状態となっているため、塗布媒体への塗布が可能となり（ステップＳ１６）、塗布動作を行なう（ステップＳ１７）。
【手続補正１４】
【補正対象書類名】明細書
【補正対象項目名】００６０
【補正方法】変更
【補正の内容】
【００６０】
このように、ポンプ３００７を十分な量駆動しても液体検知センサＹ００により液体が有る状態が検知されなかった場合（ステップＳ１３）、ローラ駆動モータ１００４を駆動して塗布ローラ１００１を回転させる（ステップＳ１４）。このときの駆動負荷を、ローラ駆動モータ１００４の駆動電流或いはＰＷＭのデューティなどにより検知する（ステップＳ１５）。負荷が閾値未満の場合には、液体保持空間Ｓ内に塗布液が存在していると判断し（ステップＳ１６）、その後の塗布動作を行う（ステップＳ１７）。
【手続補正１５】
【補正対象書類名】明細書
【補正対象項目名】００６１
【補正方法】変更
【補正の内容】
【００６１】
負荷が閾値以上の場合には（ステップＳ１５）、液体保持空間Ｓ内に塗布液が存在していないと判断し、塗布液を充填させるためにポンプ３００７を低速で再度駆動する（ステップＳ１９）。その結果、液体検知センサＹ００１が塗布液有を検知した場合には、液体保持空間Ｓ内に塗布液が存在していると判断し（ステップＳ１３、Ｓ１６）、その後の塗布動作に進む（ステップＳ１７）。
【手続補正１６】
【補正対象書類名】明細書
【補正対象項目名】００６２
【補正方法】変更
【補正の内容】
【００６２】
ポンプ３００７の再駆動を行っても液体検知センサＹ００１により液体が有る状態が検知されなかった場合は、塗布ローラ１００１を再度駆動し（ステップＳ１４）、ローラ駆動モータ１００４の駆動負荷を検出する（ステップＳ１５）。駆動負荷が閾値未満であれば、液体保持空間Ｓ内に塗布液が存在していると判断し（ステップＳ１６）、その後の塗布動作を行う（ステップＳ１７）。一方、駆動負荷が再度閾値以上だった場合は、ポンプ３００７或いは液体流路３０００に何らかの異常が発生していると判断し、ステップＳ１８を経て循環系エラーとなる（ステップＳ２０）。
【手続補正１７】
【補正対象書類名】明細書
【補正対象項目名】００６４
【補正方法】変更
【補正の内容】
【００６４】
また、ステップＳ１４におけるローラ駆動モータ１００４の駆動は、記録用紙の搬送動作を行うための予備動作を利用することも出来る。予備動作とは、例えば後述する固着液除去動作がある。このようにすると、液体保持空間Ｓ内の塗布液の有無の検知のための新しい動作を追加する必要がなくなり、動作時間の短縮につながる。
【手続補正１８】
【補正対象書類名】明細書
【補正対象項目名】００７５
【補正方法】変更
【補正の内容】
【００７５】
そして、塗布媒体送給機構１００６によって塗布ローラ１００１とカウンタローラ１００２との間に塗布媒体Ｐが搬送され、これらのローラの間に塗布媒体Ｐが挿入される。これと共に、塗布媒体Ｐは、塗布ローラ１００１とカウンタローラ１００２の回転に伴い排紙部へ向けて搬送される（ステップＳ５）。この搬送の間に、塗布ローラ１００１の外周面に塗布された塗布液Ｌが、図１７に示すように塗布ローラ１００１から塗布媒体Ｐに転写される。なお、塗布ローラ１００１とカウンタローラ１００２との間に塗布媒体Ｐを供給する手段としては、上記の送給機構に限られないことは勿論である。このような手段としては、例えば、所定のガイド部材を補助的に用いる手差しによる手段を併せて用いてもよく、また、手差し手段を単独で用いる構成など、どのような手段を用いてもよい。
【手続補正１９】
【補正対象書類名】明細書
【補正対象項目名】００７７
【補正方法】変更
【補正の内容】
【００７７】
図１７において、交差する斜線で表現した部分が塗布液Ｌを示している。なお、ここでは、塗布ローラ１００１および塗布媒体Ｐにおける塗布液の層の厚みは、塗布時における塗布液Ｌの様子を明確に図示する上で、実際の厚みよりもかなり過大に表している。塗布媒体Ｐの塗布された部分は塗布ローラ１００１の搬送力により矢印方向に搬送される。これと共に、塗布媒体Ｐと塗布ローラ１００１の接触部に塗布媒体Ｐの未塗布部分が搬送され、この動作を連続もしくは間欠的に行うことで塗布媒体全体に塗布液を塗布することができる。
【手続補正２０】
【補正対象書類名】明細書
【補正対象項目名】００８４
【補正方法】変更
【補正の内容】
【００８４】
この塗布液Ｌの戻し動作は、図１８に示すように塗布媒体Ｐが存在しない状態で塗布ローラ１００１を回転させた場合にも同様に行われる。すなわち、塗布ローラ１００１を回転することで塗布ローラ１００１の外周に付着した塗布液Ｌは、カウンタローラ１００２と当接する部分（ニップ部）を摺り抜ける。摺り抜けた後は塗布ローラ１００１側とカウンタローラ１００２側とに塗布液Ｌが分離し、塗布ローラ１００１に塗布液Ｌが残留する。そして、塗布ローラ１００１側に付着した塗布液Ｌは当接部材２００９の上縁部２０１０と塗布ローラ１００１との間を摺り抜けて液体保持空間Ｓ内に侵入し、同空間Ｓ内に充填されている塗布液Ｌに混合される。
【手続補正２１】
【補正対象書類名】明細書
【補正対象項目名】００８８
【補正方法】変更
【補正の内容】
【００８８】
本実施形態では、前述の塗布液の戻し動作の際、塗布液の多くは当接部材２００９の上縁部２０１０と塗布ローラ１００１との間をすり抜ける。しかしながら、当接部材２００９の上縁部２０１０に掻き取られる塗布液もあり、塗布ローラ１００１と当接部材２００９とのニップ部およびその付近に残留する塗布液も存在する。また、液体の表面張力によってはまとまった滴になる場合もある。この状態で長時間放置すると、塗布液内の水分が蒸発し、塗布液が、粘度が上昇した状態で塗布ローラ１００１の表面上に介在することになる。さらに、放置をし続けると、塗布液内の不揮発成分のみが残留し、塗布ローラ１００１と当接部材２００９とのニップ部に塗布液が固着する現象が起こる。塗布液が増粘した状態もしくは固着した状態で塗布動作を実行すると、塗布ローラ１００１上の当接部材２００９とのニップ部に相当する箇所のみ多量の塗布液が付着する。その結果、塗布ローラ１００１上に均一な塗布液の層を形成することができず、塗布媒体Pへの塗布は不均一となる。
【手続補正２２】
【補正対象書類名】明細書
【補正対象項目名】００９６
【補正方法】変更
【補正の内容】
【００９６】
本実施形態では、固着液除去動作中は、このような液体供給手段により、液体保持部材２００１内の塗布液を連続的もしくは断続的に流動させることで、固着液Ｔの再溶解を加速させている。液体供給手段が負圧循環系であることより、ポンプ３００７の回転数を上げることで、液体流路３０００内および液体保持空間Ｓ内の流速が速くなると共に、見かけ上、液体保持部材２００１の塗布ローラ１００１に対する当接圧が強くなる。このため、副次的に、固着液Ｔを掻き落とす効果が高まる。
【手続補正２３】
【補正対象書類名】明細書
【補正対象項目名】００９９
【補正方法】変更
【補正の内容】
【００９９】
表３では、本実施形態における固着液除去シーケンスの一例を示す。本実施形態では、制御部４０００の一部に不図示の電気的な記録部を具え、記録部に塗布動作終了時刻を格納し、随時最新の塗布動作終了時刻に更新する。固着液除去動作時に、前回の通紙動作の時刻を取得し、その時刻からの経過時間を算出し、その出力結果に応じて、塗布ローラ１００１の回転速度および回転量を選択している。表３は、経過時間と塗布ローラ１００１の駆動条件の一例を示している。本実施形態では、塗布均一性を確保しながら起動時間の効率化を実現している。加えて、固着液除去動作時にポンプ３００７の回転速度を上げ、固着液Ｔの再溶解を促進させている。
【手続補正２４】
【補正対象書類名】明細書
【補正対象項目名】０１０３
【補正方法】変更
【補正の内容】
【０１０３】
（３−５）終了工程
再度図１２に戻り、塗布媒体への塗布動作が実行されると、次に塗布工程を終了して良いか否かの判断を行う（ステップＳ６）。塗布工程を終了しない場合は、ステップＳ５に戻り、塗布媒体の塗布が必要な部分全体に塗布工程を終了するまで塗布動作を繰り返す。塗布工程を終了すると、ポンプ３００７の駆動を停止させる（ステップＳ８）。この後、ステップＳ２へ移行し、塗布開始指令が入力されていれば、ステップＳ２〜Ｓ８の動作を繰り返す。一方、塗布開始指令が入力されていなければ、保持空間Ｓおよび液体流路内の塗布液を回収する回収動作などの後処理を行い（ステップＳ９）、塗布にかかる処理を終了する。
【手続補正２５】
【補正対象書類名】明細書
【補正対象項目名】０１０５
【補正方法】変更
【補正の内容】
【０１０５】
また、回収動作は、各遮断弁を「回収」の開閉組み合わせにして、ポンプ３００７を一定時間駆動する。この開閉組み合わせにすると、液体保持空間Ｓに対して第２流路によってバッファタンク３００２が連通し、また液体保持空間Ｓに対して第１流路は大気連通口である連通口３００４と連通する。これにより、チューブ３１０２、液体保持空間Ｓ、チューブ３１０３、チューブ３１０４、ポンプ３００７、およびチューブ３１０５に大気を供給することになり、充満されていた塗布液Ｌはバッファタンク３００２に回収される。この回収動作を行うことにより、液体保持空間Ｓからの塗布液の蒸発を完全に防止ないしは軽減することができる。
【手続補正２６】
【補正対象書類名】明細書
【補正対象項目名】０１０６
【補正方法】変更
【補正の内容】
【０１０６】
また、回収動作後は、各遮断弁を「放置」の開閉組み合わせにする。この開閉組み合わせにすると、交換タンク３００１、バッファタンク３００２および液体保持空間Ｓは互いに遮断された状態になる。よって、移動、運搬などにおいて装置の姿勢が傾いた場合にも塗布液Ｌが各タンク間を移動や外部へ流出するのを完全に防止ないしは軽減することができる。
【手続補正２７】
【補正対象書類名】明細書
【補正対象項目名】０１０７
【補正方法】変更
【補正の内容】
【０１０７】
なお、本実施形態では、交換タンク３００１からバッファタンク３００２への塗布液の補給と、液体保持空間Ｓに対する塗布液の循環とを別個に行っているが、同時に行っても良い。このときは、第２遮断弁３２０２は閉じ、第１遮断弁３２０１、第３遮断弁３２０３〜第５遮断弁３２０５を開けるようにすれば良い。
【手続補正２８】
【補正対象書類名】明細書
【補正対象項目名】０１０９
【補正方法】変更
【補正の内容】
【０１０９】
図２５は、本実施形態のインクジェット記録装置を示す概略図である。本実施形態のインクジェット記録装置１には、複数枚の記録媒体Ｐを積載する給送トレイ２が設けられている。半月形状の分離ローラ３は、給送トレイ２に積載された記録媒体Ｐを１枚ずつ分離して搬送経路に給送する。搬送経路中には、液体塗布機構の液体塗布手段を構成する塗布ローラ１００１およびカウンタローラ１００２が配置されている。給送トレイ２から給送された記録媒体Ｐは、ローラ１００１および１００２の間に搬送される。塗布ローラ１００１はローラ駆動モータの回転によって図１７における時計回り方向に回転され、記録媒体Ｐを搬送しながら塗布液Ｌを記録媒体Ｐの記録面に塗布する。塗布液Ｌが塗布された記録媒体Ｐは、搬送ローラ４とピンチローラ５との間に送られ、搬送ローラ４が、図２５における反時計周り方向へと回転することによって、記録媒体Ｐはプラテン６の上を搬送される。そして、記録媒体Ｐは、記録手段を構成する記録ヘッド７に対向する位置へと搬送される。記録ヘッド７は所定数のインク吐出用のノズルが配設されたインクジェット記録ヘッドであり、この記録ヘッド７が記録媒体Ｐと垂直方向に走査する間に、記録データに従ってノズルから記録媒体Ｐの記録面に対してインク滴が吐出される。この記録動作と搬送ローラ４による所定量の搬送動作とを交互に繰り返しながら、記録媒体Ｐ上に画像が形成される。この画像形成動作とともに、記録媒体の搬送経路において記録ヘッド７の走査領域の後流側に設けられた、排紙ローラ８と排紙拍車９によって記録媒体Ｐが挟持され、排紙ローラ８の回転によって排紙トレイ１０上に排紙される。
【手続補正２９】
【補正対象書類名】明細書
【補正対象項目名】０１１３
【補正方法】変更
【補正の内容】
【０１１３】
図２７は、本実施形態のインクジェット記録装置の制御系の概略構成を示すブロック図である。液体塗布機構の要素であるローラ駆動モータ１００４、ポンプ駆動モータ４００９は、第１実施形態の液体塗布装置と同様の要素である。ＣＰＵ５００１は、後述する処理手順に従い、塗布機構の各要素の駆動を制御する。またＣＰＵ５００１は、記録機構にかかるＬＦモータ５０１３、ＣＲモータ５０１５、および記録ヘッド７の駆動を、それぞれの駆動回路５０１２、５０１４、５０１６を介して制御する。すなわち、ＬＦモータ５０１３の駆動によって搬送ローラ４などを回転させ、また、ＣＲモータ５０１５の駆動によって記録ヘッド７を搭載したキャリッジを移動させる。さらに、記録ヘッド７のノズルからインクを吐出させる制御を行う。
【手続補正３０】
【補正対象書類名】明細書
【補正対象項目名】０１１５
【補正方法】変更
【補正の内容】
【０１１５】
同図において、ステップＳ１０１、Ｓ１０３〜Ｓ１０５の処理、およびステップＳ１０８〜Ｓ１１０の処理は、それぞれ、第１実施形態の図１２に示すステップＳ１、Ｓ３〜Ｓ５、Ｓ８〜Ｓ９の処理と同様である。
【手続補正３１】
【補正対象書類名】明細書
【補正対象項目名】０１１８
【補正方法】変更
【補正の内容】
【０１１８】
なお、本実施形態では、記録媒体に対する液体塗布に伴い、その塗布が終了した部分に対して順次記録を行うものである。すなわち、塗布ローラから記録ヘッドへ至る搬送経路の長さが記録媒体の長さよりも短く、記録媒体上の液体の塗布がなされた部分が記録ヘッドによる走査領域に至るときに、記録媒体の他の部分に塗布機構によって塗布が行われる形態である。この形態により、記録媒体の所定量の搬送ごとに、記録媒体の異なる部分で、順次、液体塗布と記録がなされていくものである。しかしながら、本発明はこのような形態に限定されず、１つの記録媒体に対する塗布が完了してから記録を行うものであってもよい。